(57)【要約】      （修正有）【課題】受皿に装飾性を加えて、室内または玄関先等に植木鉢と一緒に飾って眺めて楽しむことができ、十分な観賞性と実用性を兼ね備えた置物を提供する。【解決手段】植木鉢２と受皿３を組合せてなり、受皿３の上面には植木鉢２の鉢５の下面の周突条６を嵌め合せる凹溝部７ａを外周部に形成する環状凹所７を設け、さらに受皿３の上面の一部に立体装飾物を一体に設け、立体装飾物は動植物またはこれに類似する形とし、受皿３の周縁部と環状凹所７との間に配置するようにする。【選択図】図２
0003113169.tif 000002
【実用新案登録請求の範囲】
【請求項１】
植木鉢と受皿を組合せてなり、受皿の上面には植木鉢の鉢の下面を嵌め合せる環状凹所を設け、さらに受皿の上面の一部に立体装飾物を一体に設けてなることを特徴とする観賞用置物。
【請求項２】
立体装飾物は、動植物またはこれに類似する形をしてなることを特徴とする請求項１記載の観賞用置物。
【請求項３】
立体装飾物は、受皿の周縁部と環状凹所との間に配置することを特徴とする請求項１または請求項２記載の観賞用置物。
【請求項４】
立体装飾物と受皿はお互いに同じ材質からなることを特徴とする請求項１ないし請求項３のいずれか１項に記載の観賞用置物。
【請求項５】
立体装飾物と受皿と植木鉢の鉢はお互いに同じ材質からなることを特徴とする請求項１ないし請求項４のいずれか１項に記載の観賞用置物。
【請求項６】
立体装飾物と受皿と植木鉢の鉢は陶磁器からなることを特徴とする請求項１ないし請求項５のいずれか１項に記載の観賞用置物。
【請求項７】
受皿の上面の環状凹所の外周部に植木鉢の鉢の下面の周突条を嵌め合せる外周凹溝部を設けてなることを特徴とする請求項１ないし請求項６のいずれか１項に記載の観賞用置物。
【請求項８】
受皿の上面の環状凹所の外周部に植木鉢の鉢の下面の周突条を嵌め合せる外周凹溝部を設け、受皿の上面の環状凹所の周囲と環状凹所の外周凹溝部の内側に緩やかな凹凸を形成してなることを特徴とする請求項１ないし請求項７のいずれか１項に記載の観賞用置物。
【考案の詳細な説明】
【技術分野】
【０００１】
本考案は、植木鉢と受皿を組合せた観賞用置物に関し、特に十分な観賞性と実用性を兼ね備えることのできる観賞用置物に関する。
【背景技術】
【０００２】
家庭やオフィス、レストラン等で室内の雰囲気を和ませるため、植物が飾られてきた。特に近年、植木鉢を配置し、雰囲気作りを積極的に利用する傾向にある。この植木鉢は大型のものから小型のものまで様々の大きさがあり、例えば机の上に飾って観賞用置物として楽しむものもある。通常、植木鉢の下には受皿を置き、植木鉢内の土に水遣りをしたときに、植木鉢の底部から排出される余分な水を受皿で受けるようにしており、この受皿に関しては種々の工夫がなされている（特許文献１）。
【０００３】
【特許文献１】特開平１０−３３３３８号公報
【考案の開示】
【考案が解決しようとする課題】
【０００４】
しかしながら、上記の受皿は、もっぱら余分な水を受けるという本来の目的のために設けられるもので、実用的ではあるが、装飾性に乏しく、植木鉢と一緒に机の上等に飾って眺めて楽しむには魅力に欠けるものであった。
【０００５】
本考案は上記問題点に鑑みてなされたもので、受皿に装飾性を加えて、室内の卓上等または玄関先等に植木鉢を載せて飾って眺めて楽しむことができ、十分な観賞性と実用性を兼ね備えた観賞用置物を提供することを目的とする。
【課題を解決するための手段】
【０００６】
上記課題を解決するために、本考案の請求項１に係る観賞用置物は、植木鉢と受皿を組合せてなり、受皿の上面には植木鉢の鉢の下面を嵌め合せる環状凹所を設け、さらに受皿の上面の一部に立体装飾物を一体に設けてなることを特徴とする。
【０００７】
受皿の上面の一部に立体装飾物を一体に設けることで、受皿に装飾性を加えて、室内の卓上等または玄関先等に植木鉢と一緒に飾って眺めて楽しむことができる。また、受皿の上面には植木鉢の下面を嵌め合せる環状凹所を設けることで、植木鉢を受皿の上面に安定保持させることができ、十分な観賞性と実用性を兼ね備えることができる。
【０００８】
本考案の請求項２に係る観賞用置物は、立体装飾物が、動植物またはこれに類似する形をしてなることを特徴とする。
【０００９】
立体装飾物の形を動植物またはこれに類似する形とすることで、観賞用置物を見る者の目を和ませ、また人の心に安らぎを与えることができる。
【００１０】
本考案の請求項３に係る観賞用置物は、立体装飾物を、受皿の周縁部と環状凹所との間に配置することを特徴とする。
【００１１】
植木鉢の下面を受皿の上面の環状凹所に嵌め合わせる際に装飾物が植木鉢と干渉せず、植木鉢を受皿の上にスムーズに載せることができ、実用性を損なわない。
【００１２】
本考案の請求項４に係る観賞用置物は、立体装飾物と受皿がお互いに同じ材質からなることを特徴とする。
【００１３】
立体装飾物と受皿を同じ材質とすることで、立体装飾物と受皿の一体性、調和性が高まる。例えば、陶磁器で両者を一体化して観賞用置物の価値を高めることができる。
【００１４】
本考案の請求項５に係る観賞用置物は、立体装飾物と受皿と植木鉢の鉢がお互いに同じ材質からなることを特徴とする。
【００１５】
立体装飾物と受皿と植木鉢の鉢を同じ材質とすることで、三者の一体性、調和性が高まる。例えば、陶磁器で装飾物と受皿を一体化し、鉢を同じ材質の陶磁器とすることで、観賞用置物の価値をより高めることができる。
【００１６】
本考案の請求項６に係る観賞用置物は、立体装飾物と受皿と植木鉢の鉢が陶磁器からなることを特徴とする。
【００１７】
三者を同じ材質の陶磁器とすることで、観賞用置物の価値をより高めることができる。
【００１８】
本考案の請求項７に係る観賞用置物は、受皿の上面の環状凹所の外周部に植木鉢の鉢の下面の周突条を嵌め合せる外周凹溝部を設けてなることを特徴とする。
【００１９】
受皿の上面の環状凹所の外周部に植木鉢の鉢の下面の周突条を嵌め合せる外周凹溝部を設けたことで両者の一体性が高まり、植木鉢を受皿の上面により安定保持させることができる。
【００２０】
本考案の請求項８に係る観賞用置物は、受皿の上面の環状凹所の外周部に植木鉢の鉢の下面の周突条を嵌め合せる外周凹溝部を設け、受皿の上面の環状凹所の周囲と環状凹所の外周凹溝部の内側に緩やかな凹凸を形成してなることを特徴とする。
【００２１】
受皿の上面の環状凹所の外周部に植木鉢の鉢の下面の周突条を嵌め合せる外周凹溝部を設け、受皿の上面の環状凹所の周囲と環状凹所の外周凹溝部の内側に緩やかな凹凸を形成したことで、受皿に豊潤な大地の印象を付与することができる。
【考案の効果】
【００２２】
以上説明したように、本考案に係る観賞用置物は、受皿の上面の一部に立体装飾物を一体に設けることで、受皿に装飾性を加えて、室内または玄関先等に植木鉢と一緒に飾って眺めて楽しむことができ、また、受皿の上面には植木鉢の鉢の下面を嵌め合せる環状凹所を設けることで、植木鉢を受皿の上面に安定保持させることができ、これにより十分な観賞性と実用性を兼ね備えた観賞用置物を得ることができる効果を奏する。
【考案を実施するための最良の形態】
【００２３】
本考案を実施するための最良の形態を図１ないし図３を参照して説明する。図１に示すように、本考案の観賞用置物１は、植木鉢２と受皿３とから構成されている。
【００２４】
植木鉢２は、植木４を鉢５に収容したものである。鉢５は、有底筒状の素焼きからなる容器で、その上端開口部から下端の下面にかけて小径となるテーパ形状とされている。この鉢５の下面５ａには中央に排水用の孔５ｂが設けられるとともに、その周縁部には下方に凸となる周突条６が設けられている。
【００２５】
受皿３は、植木鉢２を載せるためのもので、図２に示す鉢５の下面５ａの孔５ｂから排出された余分な水を受けるようになっている。この受皿３の上面には鉢５の下面５ａの周突条６を嵌め合せることのできる外周凹溝部７ａを外周部に設けた環状凹所７が設けられている。この環状凹所７の外周凹溝部７ａに鉢５側の周突条６を嵌め合せることにより、鉢５が水平方向に動いたり転倒しないように受皿３の上に安定保持させることができる。
【００２６】
この受皿３の前端部には、立体装飾物８が受皿３と一体に設けられている。この立体装飾物８は受皿３に装飾性を付加するもので、動植物またはこれに類似する形をしている。たとえば本実施形態では、沖縄のシンボルとされるシーサーを模した形とすることができる。植木鉢２の植木４には、喜界島の隆起さんご礁上に生える「天梅」（テンバイ）や、海岸や低地の痩地に生えるガジュマル、海岸の岩場に生えるイソマツなどを使用することができ、観賞用置物１全体から南国の風景をイメージさせることができ、あたかも南国にいるような雰囲気を室内に醸し出すことができる。これにより、観賞用置物１を見る者の目を和ませ、また人の心に南国特有の安らぎを与えることができる。この立体装飾物８は、受皿３と一緒に焼き物として一体製作され、素焼きとされるが、別々に製作して受皿３の上に接着剤等で接着させてもよい。
【００２７】
受皿３の上面の環状凹所７の周囲と環状凹所７の外周凹溝部７ａの内側には全体にわたり緩やかな凹凸９が形成されており、この緩やかな凹凸部９が受皿３に豊潤な大地をイメージさせることができる。あたかも、大地から植木４が伸びているかのような印象を与えることができる。さらに、植木４に「天梅」を使用する場合には、緩やかな凹凸９を隆起さんご礁のように形を作ってもよい。
【００２８】
なお、受皿３の上面には防水性塗料を塗布して、鉢５から受皿３上に排水された水が受皿３を浸透して机上等に水が漏れないようにするのがよい。
【００２９】
立体装飾物８の例としては、奄美大島に伝わるケンムンを模した形のものや鹿児島の黒豚や桜島大根を模した形のものも適用可能である。
【００３０】
また、受皿３の形状は上面視して円形状、四角形状、多角形状いずれのものであってもよい。
【産業上の利用可能性】
【００３１】
本考案の観賞用置物は、一般家庭やオフィス等に飾って楽しむ観賞用置物として利用することができる他、観光地の民芸品店等で販売する民芸品としても利用することができる。
【図面の簡単な説明】
【００３２】
【図１】本考案の観賞用置物を示す斜視図、
【図２】本考案の観賞用置物を示す縦断面図、
【図３】本考案の観賞用置物を植木鉢と受皿に分離した状態を示す斜視図である。
【符号の説明】
【００３３】
１  観賞用置物
２  植木鉢
３  受皿
４  植木
５  鉢
５ａ  下面
５ｂ  孔
６  周突条
７  環状凹所
７ａ  外周凹溝部
８  立体装飾物
９  凹凸
【図１】
0003113169.tif 000003
【図２】
0003113169.tif 000004
【図３】
0003113169.tif 000005